【手続補正書】
【提出日】平成21年4月22日(2009.4.22)
【手続補正１】
【補正対象書類名】特許請求の範囲
【補正対象項目名】全文
【補正方法】変更
【補正の内容】
【特許請求の範囲】
【請求項１】
複数のクライアント計算機に第１ネットワークを介して接続され、プロセッサ、メモリ及びインタフェースを備える認証計算機であって、
前記メモリは、
ユーザと当該ユーザの電話番号との対応を示すユーザ情報を記憶し、
前記プロセッサは、
前記クライアント計算機から認証要求を受信すると、当該認証計算機が着信可能な電話番号のうち、以前に受信した認証要求のいずれにも割り当てられていない電話番号を、当該受信した認証要求に割り当て、
ダイアルを着信し、
前記クライアント計算機から認証結果要求を受信すると、当該受信した認証結果要求に対応する認証要求を特定し、
前記特定された認証要求に割り当てられている電話番号を発信先とするダイアルの発信元の電話番号を特定し、
前記ユーザ情報を参照して、前記特定された発信元の電話番号に対応するユーザを特定し、
前記受信した認証結果要求の送信元であるクライアント計算機に、前記特定されたユーザに対応する情報を送信することを特徴とする認証計算機。
【請求項２】
複数のクライアント計算機に第１ネットワークを介して接続され、プロセッサ、メモリ及びインタフェースを備える認証計算機であって、
前記メモリは、
ユーザと当該ユーザの電話番号との対応を示すユーザ情報を記憶し、
前記プロセッサは、
前記第１ネットワークを介して前記クライアント計算機から、当該クライアント計算機の識別子を含む認証要求を受信すると、当該受信した認証要求に含まれるクライアント計算機の識別子に、当該認証計算機が着信可能な電話番号のうち、他のクライアント計算機の識別子のいずれにも割り当てられていない電話番号を割り当て、
ダイアルを着信し、
当該着信したダイアルから、発信先の電話番号及び発信元の電話番号を特定し、
前記ユーザ情報を参照して、前記特定された発信元の電話番号に対応するユーザを特定し、
前記特定された発信先の電話番号が割り当てられているクライアント計算機の識別子を特定し、
前記第１ネットワークを介して、前記特定されたクライアント計算機の識別子によって識別されるクライアント計算機に、前記特定されたユーザに対応する情報を送信することを特徴とする認証計算機。
【請求項３】
複数のクライアント計算機に第１ネットワークを介して接続され、プロセッサ、メモリ及びインタフェースを備える認証計算機であって、
前記メモリは、ユーザと当該ユーザの電話番号との対応を示すユーザ情報、及び、前記クライアント計算機と、当該認証計算機が着信可能な電話番号のうち、他のクライアント計算機と重複しないように当該クライアント計算機に割り当てられた電話番号と、の対応を示す認証用電話番号対応情報を記憶し、
前記プロセッサは、
ダイアルを着信し、
当該着信したダイアルから、発信先の電話番号及び発信元の電話番号を特定し、
前記ユーザ情報を参照して、前記特定された発信元の電話番号に対応するユーザを特定し、
前記認証用電話番号対応情報を参照して、前記特定された発信先の電話番号が割り当てられたクライアント計算機を特定し、
前記第１ネットワークを介して、前記特定されたクライアント計算機に、前記特定されたユーザに対応する情報を送信することを特徴とする認証計算機。
【請求項４】
前記プロセッサは、
電話番号を割り当ててから所定の時間が経過すると、当該電話番号の割り当てを解除し、
前記割り当てを解除した電話番号を再度割り当てることを特徴とする請求項１又は２に記載の認証計算機。
【請求項５】
前記プロセッサは、
前記受信した認証要求に、識別子を付与し、
前記受信した認証結果要求に含まれる識別子に基づいて、前記受信した認証結果要求に対応する認証要求を特定することを特徴とする請求項１に記載の認証計算機。
【請求項６】
前記識別子は、前記クライアント計算機と前記認証計算機との通信の識別子、又は当該識別子を付与された認証要求に割り当てられている電話番号の一部若しくは全部であることを特徴とする請求項５に記載の認証計算機。
【請求項７】
更に、前記認証計算機は、第２ネットワークを介して電話機と接続され、
前記プロセッサは、前記第２ネットワークを介して前記電話機からダイアルを着信することを特徴とする請求項１から３のいずれか一つに記載の認証計算機。
【請求項８】
前記プロセッサは、
前記特定された発信元の電話番号が偽装されているか否かを判定し、
前記特定された発信元の電話番号が偽装されている場合、前記受信した認証結果要求の送信元であるクライアント計算機を、認証不可と判定することを特徴とする請求項１に記載の認証計算機。
【請求項９】
複数のクライアント計算機に第１ネットワークを介して接続され、プロセッサ、メモリ及びインタフェースを備える認証計算機に、
ユーザと当該ユーザの電話番号との対応を示すユーザ情報を記憶するステップと、
前記クライアント計算機から認証要求を受信すると、当該認証計算機が着信可能な電話番号のうち、以前に受信した認証要求のいずれにも割り当てられていない電話番号を、当該受信した認証要求に割り当てるステップと、
ダイアルを着信するステップと、
前記クライアント計算機から認証結果要求を受信すると、当該受信した認証結果要求に対応する認証要求を特定するステップと、
前記特定された認証要求に割り当てられている電話番号を発信先とするダイアルの発信元の電話番号を特定するステップと、
前記ユーザ情報を参照して、前記特定された発信元の電話番号に対応するユーザを特定するステップと、
前記受信した認証結果要求の送信元であるクライアント計算機に、前記特定されたユーザに対応する情報を送信するステップと、を実行させるためのプログラム。
【請求項１０】
複数のクライアント計算機に第１ネットワークを介して接続され、プロセッサ、メモリ及びインタフェースを備える認証計算機に、
ユーザと当該ユーザの電話番号との対応を示すユーザ情報を記憶するステップと、
前記第１ネットワークを介して前記クライアント計算機から、当該クライアント計算機の識別子を含む認証要求を受信すると、当該受信した認証要求に含まれるクライアント計算機の識別子に、当該認証計算機が着信可能な電話番号のうち、他のクライアント計算機の識別子のいずれにも割り当てられていない電話番号を割り当てるステップと、
ダイアルを着信するステップと、
当該着信したダイアルから、発信先の電話番号及び発信元の電話番号を特定するステップと、
前記ユーザ情報を参照して、前記特定された発信元の電話番号に対応するユーザを特定するステップと、
前記特定された発信先の電話番号が割り当てられているクライアント計算機の識別子を特定するステップと、
前記第１ネットワークを介して、前記特定されたクライアント計算機の識別子によって識別されるクライアント計算機に、前記特定されたユーザに対応する情報を送信するステップと、を実行させるためのプログラム。
【請求項１１】
複数のクライアント計算機に第１ネットワークを介して接続され、プロセッサ、メモリ及びインタフェースを備える認証計算機に、
前記メモリは、ユーザと当該ユーザの電話番号との対応を示すユーザ情報、及び、前記クライアント計算機と、当該認証計算機が着信可能な電話番号のうち、他のクライアント計算機と重複しないように当該クライアント計算機に割り当てられた電話番号と、の対応を示す認証用電話番号対応情報を記憶するステップと、
ダイアルを着信するステップと、
当該着信したダイアルから、発信先の電話番号及び発信元の電話番号を特定するステップと、
前記ユーザ情報を参照して、前記特定された発信元の電話番号に対応するユーザを特定するステップと、
前記認証用電話番号対応情報を参照して、前記特定された発信先の電話番号が割り当てられたクライアント計算機を特定するステップと、
前記第１ネットワークを介して、前記特定されたクライアント計算機に、前記特定されたユーザに対応する情報を送信するステップと、を実行させるためのプログラム。